(57)【要約】      （修正有）【課題】  低電力及び高輝度の長所を生かしつつ、高効率的かつ多用途的な半導体発光素子の光を照明専用の発光光源部品として拡大するために、組立設置後も光源の高低を調節し、各発光モジュールどうし間の間隔及び光源と入射される表面との距離によって光源の強さ及び指向角を調節できるので、設置されるチャンネル文字の大きさに合わせて光の拡散分布を制御できる、高さ調節可能な発光モジュールを提供する。【解決手段】  所定の光を発光する発光素子１１と、ケース１３と、前記ケース１３の内側に所定高さに固定されて前記発光素子１１に結合されるＰＣＢ１４と、前記ケース１３の内側に充填されて前記発光素子１１及びＰＣＢ１４を固定する充填材１２とを含む発光モジュールにおいて、回転により前記発光モジュール１０を上下移動する高さ調節手段２０と、高さ調節手段２０が結合される水平固定受け台４０により高さ調節可能な発光モジュールを構成する。【選択図】  図４
2006113507.tif 000002
【特許請求の範囲】
【請求項１】
所定の光を発光する発光素子と、ケースと、前記ケースの内側に所定高さに固定されて前記発光素子に結合されるＰＣＢと、前記ケースの内側に充填されて前記発光素子及びＰＣＢを固定する充填材と、を含む発光モジュールにおいて、
前記ケース及びＰＣＢを貫通するとともに、前記充填材により前記ケース及びＰＣＢに固定され、回転により前記発光モジュールを上下移動する高さ調節手段と、
前記ケースの下側において底面に固定され、上側に形成された多数個の固定ホールに前記高さ調節手段が結合される水平固定受け台と、
を含むことを特徴とする高さ調節可能な発光モジュール。
【請求項２】
前記高さ調節手段は、
前記ケース及び前記ＰＣＢに貫通され、ねじ頭部が前記ケースの上側に突出されるねじと、
前記ケースの下面と一体に成形されて前記ねじに結合される第１ナットと、
前記水平固定受け台の前記固定ホールに貫通されて前記ねじを固定する第２ナットと、を含むことを特徴とする請求項１記載の高さ調節可能な発光モジュール。
【請求項３】
前記ケースは、
下面の凹状に陥没される圧着固定用溝を含むことを特徴とする請求項１記載の高さ調節可能な発光モジュール。
【請求項４】
前記水平固定受け台は、
前記ねじが貫通される多数個の固定ホールが形成された位置固定部と、
前記位置固定部の両側に折曲形成されて上面に多数個の結合孔が形成される折曲部と、を含むことを特徴とする請求項１記載の高さ調節可能な発光モジュール。
【発明の詳細な説明】
【技術分野】
【０００１】
本発明は、発光モジュールに関するもので、詳しくは、照明広告用の光源部品として適用される発光モジュールの高低及び水平位置を調節することで、発光角度、光源到達距離、光の高低調節、光源と光源との間の間隔、光源投入位置を容易に調節し、かつ、広告用の照明により表現しようとする文字及び映像を一層効率的に表現して使用上の便宜を増加できる高さ調節可能な発光モジュールに関するものである。
【背景技術】
【０００２】
図１は、一般的なチャンネル文字を使用した照明装置を示した斜視図である。
【０００３】
図１に示すように、一般のチャンネル文字を使用した照明装置は、チャンネル文字２と、前記チャンネル文字２に挿入される発光モジュール１と、ワイヤー３と、発光モジュール１にワイヤー３を通して電源を供給する電源部４と、から構成される。
【０００４】
このうち、チャンネル文字２には、多数個の発光モジュール１が挿入されており、電源部４から前記発光モジュール１に電源が供給されると、前記発光モジュール１が発光してチャンネル文字２を明るく照明する。したがって、人々は、前記発光モジュール１によって照明されるチャンネル文字２を認知するようになる。
【０００５】
ここで、従来の発光モジュール１は、発光素子１ａ（図２を参照）を所定の組立体により固定する構造を有しており、これは、図２に示したとおりである。
【０００６】
図２は、従来の発光モジュールを示した側断面図である。
【０００７】
図２に示すように、従来の発光モジュール１は、所定形状を有するケース１ｅにＰＣＢ  １ｃを結合する結合手段１ｄを形成し、前記ＰＣＢ  １ｃには、所定の色相を有する光を発光する発光素子１ａが取り付けられ、前記発光素子１ａ、ＰＣＢ  １ｃ及び結合手段１ｄ以外のケース１３内の空間には、外部の湿気または水分などを遮断するためにエポキシなどの合成樹脂からなる充填材１ｂが充填される。
【０００８】
すなわち、従来の発光素子１ａを使用した光源副資材は、ＰＣＢ  １ｃ上に発光素子１ａ及び電気部品を挿入し、プラスチック状の容器に充填材１ｂを入れて前記ケース１ｅに発光素子１ａ及びＰＣＢ１ｃを固定し、３Ｍテープやシリコンによりケース１ｅの下面をチャンネル文字２の底面に付着して組立て、その光源から発光される点発光形態をアクリルやシートなどにより面処理して面全体を発光する。
【０００９】
しかし、一般的な発光モジュール１は、各発光モジュール１どうし間の間隔及び光源と発光表面との距離を調節しないと、発光表面に明暗の影が生じて表面が斑に見える問題点があり、これを解消するために、発光モジュール１の高低を調節して発光される光の指向角を調節すべきである。
【００１０】
したがって、このような問題点を解決するために、従来は、光源の高低調節のために底面に別途の受け台を立てるか、人為的に高さを合せており、面全体を発光処理するために多量の発光モジュールを使用したが、発光モジュール自体の高さを調節せずに別途の受け台により高さを調節するので、チャンネル文字の余裕空間が不足して使用者の設置が容易でなく、３Ｍやシリコンによりチャンネル文字の発光モジュールと受け台とを結合すると、上述したように、外部の温度及び湿気などにより３Ｍやシリコンの接着力が弱くなって脱着されるので、時間の経過とともに、上述した光の斑や光源の指向角などが変更され、照明効果が減少される、という問題点があった。
【００１１】
また、従来の発光モジュールは、一回組立てられると再調整が困難であり、チャンネル文字が厚くなって多量の発光素子が入った分、電圧が高くなるため、発光素子固有の低電力の長所を失う、という問題点があった。
【発明の開示】
【発明が解決しようとする課題】
【００１２】
このような従来の問題点を解決するために、本発明は、低電力及び高輝度の長所を生かしつつ、高効率的かつ多用途的な半導体発光素子の光を照明専用の発光光源部品として拡大するために、組立設置後も光源の高低を調節し、各発光モジュールどうし間の間隔及び光源と入射される表面との距離によって光源の強さ及び指向角を調節できるので、設置されるチャンネル文字の大きさに合わせて光の拡散分布を制御できる、高さ調節可能な発光モジュールを提供することを目的とする。
【課題を解決するための手段】
【００１３】
上記の目的を達成するために、本発明は、所定の光を発光する発光素子と、ケースと、前記ケースの内側に所定高さに固定されて前記発光素子に結合されるＰＣＢと、前記ケースの内側に充填されて前記発光素子及びＰＣＢを固定する充填材と、を含む発光モジュールにおいて、前記ケース及びＰＣＢを貫通するとともに、前記充填材により前記ケース及びＰＣＢに固定され、回転により前記発光モジュールを上下移動する高さ調節手段と、前記ケースの下側において底面に固定され、上側に形成された多数個の固定ホールに前記高さ調節手段が結合される水平固定受け台と、を含むことを特徴とする。
【００１４】
ここで、前記高さ調節手段は、前記ケース及び前記ＰＣＢに貫通され、ねじ頭部が前記ケースの上側に突出されるねじと、前記ケースの下面と一体に成形されて前記ねじに結合される第１ナットと、前記水平固定受け台の前記固定ホールに貫通されて前記ねじを固定する第２ナットと、を含むことを特徴とする。
【００１５】
また、前記ケースは、下面の凹状に陥没される圧着固定用溝を含むことを特徴とする。
【００１６】
また、前記水平固定受け台は、前記ねじが貫通される多数個の固定ホールが形成された位置固定部と、前記位置固定部の両側に折曲形成されて上面に多数個の結合孔が形成される折曲部と、を含むことを特徴とする。
【発明の効果】
【００１７】
本発明による高さ調節可能な発光モジュールは、ねじとナットとの組立てにより発光モジュールの高さを調節することで、チャンネル文字の厚さに関係なく同一の光量で照明することができ、設置後も光角度調節及び位置移動が可能であるため、製品の美麗な色相を維持することができ、気温の差異、湿気及び異質物によっても容易に脱着せずに固定状態を維持することで、管理及び維持が容易であるという効果がある。
【発明を実施するための最良の形態】
【００１８】
以下、本発明の好ましい実施形態を添付された図面を参照して詳細に説明する。
【００１９】
図３ａは、本発明による高さ調節可能な単色発光モジュールを示した平面図であり、図３ｂは、本発明による高さ調節可能な三色発光モジュールを示した平面図である。
【００２０】
図３ａ及び図３ｂに示すように、本発明による発光モジュール１０は、ケース１３の内側の充填材１２により固定され、同一の色相で発光する発光素子１１を使用した単色発光モジュール１０と、Ｒ、Ｇ、Ｂの発光素子１１からなる三色発光モジュール１０と、が備わり、使用者の使用目的に合わせて多様に応用することができる。
【００２１】
ここで、各発光素子１１は、上面が開放されたケース１３に位置されており、前記ケース１３の内壁空間に充填材１２が充填されることで前記発光素子１１が固定される。また、その中心部には、高さを調節するねじ２１のねじ頭部２１１が突出形成される。
【００２２】
図４及び図５は、本発明による高さ調節可能な発光モジュールを示した側断面図であり、図６は、本発明による高さ調節可能な発光モジュールを示した下面図であり、図７は、水平固定受け台を示した斜視図である。
【００２３】
図４乃至図６に示すように、ケース１３は、上面が開放されており、第１ナット２２は、前記ケース１３の下面と一体に形成される。また、発光素子１１は、前記ケース１３の上側に発光面が露出され、下側にはＰＣＢ１４が固定される。ここで、前記ＰＣＢ１４は、前記発光素子１１の駆動回路及び部品を室装して前記ケース１３の内側に所定高さに固定され、その中央部には、前記ケース１３の下側からねじ２１が貫通される貫通孔（図示せず）が形成される。
【００２４】
また、高さ調節手段２０は、ねじ２１と、第１及び第２ナット２２，２３と、から構成されており、このうち、前記ねじ２１は、前記ケース１３の下面及び前記ＰＣＢ１４を貫通することで、前記ケース１３の開放された上面にねじ頭部２１１が露出され、前記第１ナット２２は、前記ケース１３の下面と一体に形成されて前記ねじ２１に結合され、第２ナット２３は、水平固定受け台４０の位置固定部４１の下面から貫通されるねじ２１に結合される。
【００２５】
併せて、前記ケース１３の内側の前記発光素子１１、ＰＣＢ１４、ねじ２１などの構成要素とケース１３の内壁との間の空間には、充填材１２が充填されることで、前記発光素子１１、ＰＣＢ１４及びねじ２１を前記ケース１３に固定するとともに湿気や水分などの侵入を防止するが、前記充填材１２には、エポキシなどの合成樹脂を採用することが好ましい。また、前記ケース１３の下面には、凹状に陥没された圧着固定用溝１５が形成される。
【００２６】
また、前記水平固定受け台４０（図７を参照）は、上面には、前記ねじ２１が貫通される多数個の固定ホール４１１，４１２を有する位置固定部４１が形成され、前記位置固定部４１の両側には、チャンネル文字の固定位置の支持面に密着された折曲部４２が折曲形成される。また、前記折曲部４２には、少なくとも一つの結合孔４２１が形成され、ねじ２１などが挿入されて支持面に固定される。このような構成により、前記ケース１３の下側に貫通されたねじ２１は、水平固定受け台４０の上側を貫通して前記第２ナット２３に結合される。
【００２７】
したがって、使用者がドライバーなどにより前記ねじ頭部２１１を回転すると、ケース１３とともにねじ２１が回転されることで発光モジュール１０の高さが調節される。すなわち、ねじ２１が回転されると、ケース１３及びＰＣＢ１４は、充填材１２により前記ねじ２１に固定されてケース１３とともに回転されるので、水平固定受け台４０を貫通するねじ２１が長くなるほど前記発光モジュール１０は低くなり、ねじ頭部２１１を反対に回転すると、前記水平固定受け台４０を貫通するねじ２１の長さが減少して高さが上昇する。
【００２８】
また、前記発光モジュール１０は、水平固定受け台４０なしに、チャンネル文字またはその他の照明装置の所定位置に３Ｍテープやシリコンなどを使用して固定することができる。すなわち、前記圧着固定用溝１５は、シリコンなどが塗布された状態で支持面に圧着固定されることで、前記発光モジュール１０が所定位置から容易に脱着しないように堅固に固定する役割をする。
【００２９】
本発明による高さ調節可能な発光モジュール１０は、高さ調節とともに所定位置で微細移動及び固定可能な構造を提示した。すなわち、本発明は、チャンネル文字の所定位置に発光モジュール１０を固定し、その固定位置で上下の高さを調節するとともに、前記水平固定受け台４０の固定ホール４１１，４１２を通して所定範囲以内に水平移動することができる。
【００３０】
すなわち、前記発光モジュール１０は、前記水平固定受け台４０の位置固定部４１に形成された多数個の固定ホール４１１，４１２を通して、これら固定ホール４１１，４１２の間隔だけ移動することができる。よって、前記水平固定受け台４０がチャンネル文字に固定され、ねじ２１が第１固定ホール４１１を通して前記発光モジュール１０に結合された状態で、照明位置またはその他の理由により発光モジュール１０を微細に移動する必要があるときは、第１固定ホール４１１に貫通されたねじ２１を引き出す。
【００３１】
また、ねじ２１を第２固定ホール４１２に貫通して結合することで、前記水平固定受け台４０が固定された状態で、前記発光モジュール１０は、前記固定ホール４１１の間の間隔だけ移動して固定される。
【００３２】
したがって、本発明は、ねじ２１とナット２２，２３との組立てにより発光モジュール１０の高さを調節するとともに、水平固定受け台４０により所定位置に固定及び水平移動することで、光の拡散分布を一層細密に制御することができる。
【００３３】
以上の説明では、具体的な実施形態により説明したが、特許請求の範囲によって定められる本発明の精神や分野から離脱しない限り、本発明が多様に改造及び変化されることは、当該技術分野で通常の知識を有する者なら容易に理解できる。
【図面の簡単な説明】
【００３４】
【図１】一般的なチャンネル文字を使用した照明装置を示した斜視図である。
【図２】従来の発光モジュールを示した側断面図である。
【図３ａ】本発明による高さ調節可能な単色発光モジュールを示した平面図である。
【図３ｂ】本発明による高さ調節可能な三色発光モジュールを示した平面図である。
【図４】本発明による高さ調節可能な発光モジュールを示した側断面図である。
【図５】本発明による所定高さが調節された発光モジュールを示した側断面図である。
【図６】本発明による高さ調節可能な発光モジュールを示した下面図である。
【図７】本発明による高さ調節可能な発光モジュールの水平固定受け台を示した斜視図である。
【符号の説明】
【００３５】
１０  発光モジュール
１１  発光素子
１２  充填材
１３  ケース
１４  ＰＣＢ
１５  圧着固定用溝
２０  高さ調節手段
２１  ねじ
２１１  ねじ頭部
２２  第１ナット
２３  第２ナット
３０  ワイヤー
４０  水平固定受け台
４１  位置固定部
４１１  第１固定ホール
４１２  第２固定ホール
４２  折曲部
４２１  結合孔
【図１】
2006113507.tif 000003
【図２】
2006113507.tif 000004
【図３ａ】
2006113507.tif 000005
【図３ｂ】
2006113507.tif 000006
【図４】
2006113507.tif 000007
【図５】
2006113507.tif 000008
【図６】
2006113507.tif 000009
【図７】
2006113507.tif 000010